(57)【要約】【課題】アブラナ・稲麦用コンバインを提供する。【解決手段】機体フレームと、動力機構と、機体フレームに取り付けられた刈取機構（１）と、脱穀機構（２）と、振動選別用チャフシーブ（４）、唐箕（１１）及び殻排出口（９）を含む殻実分離装置（３）と、を備えるアブラナ・稲麦用コンバインにおいて、振動選別用チャフシーブ（４）は、動力機構により連動される振動選別用チャフシーブ枠（５）と、振動選別用チャフシーブ枠（５）に接続された上層のシーブ角度調節可能なチャフシーブ（６）及び下層の網状チャフシーブ（７）と、を含むアブラナ・稲麦用コンバイン。振動選別用チャフシーブ枠にシーブ角度調節可能なチャフシーブを追加することで不純物を更に選別する同時に、シーブ角度を調節することで網目サイズを制御することができ、これにより、稲麦とアブラナとの選別に同時に対応することができ、稲麦、アブラナをコンバインで収穫することが可能になる。【選択図】図１
2016508741.tif 000002
【特許請求の範囲】
【請求項１】
機体フレームと、動力機構と、機体フレームに取り付けられた刈取機構（１）と、刈取機構（１）の後における脱穀機構（２）と、搬送機構（１５）と、脱穀機構（２）の穀粒排出口に接続され、振動選別用チャフシーブ（４）、唐箕（１１）及び殻排出口（９）を含む殻実分離装置（３）と、を備えるアブラナ・稲麦用コンバインにおいて、
振動選別用チャフシーブ（４）は、動力機構により連動される振動選別用チャフシーブ枠（５）と、振動選別用チャフシーブ枠（５）に接続された上層のシーブ角度調節可能なチャフシーブ（６）及び下層の網状チャフシーブ（７）と、を含むことを特徴とするアブラナ・稲麦用コンバイン。
【請求項２】
シーブ角度調節可能なチャフシーブ（６）は、両端が振動選別用チャフシーブ枠（５）の側端に貫通されるように平行配列されたチャフシーブ棒（１２）、チャフシーブ棒（１２）に固定されたシーブ（１７）を含み、チャフシーブ棒（１２）と調節シート（１３）との結合部がＵ字状に曲がっており、調節シート（１３）が調節レバー（１４）に接続され、調節レバー（１４）が調節ハンドル（１６）と繋がることを特徴とする請求項１に記載のアブラナ・稲麦用コンバイン。
【請求項３】
シーブ（１７）は、「∩」状シーブ又は三角状シーブであり、それぞれのシーブがチャフシーブ棒（１２）に隣り合わせて固定されることを特徴とする請求項１又は２の何れか一項に記載のアブラナ・稲麦用コンバイン。
【請求項４】
シーブ角度調節可能なチャフシーブ（６）は２層あり、上層は、脱穀機構（２）の穀粒排出口の接合部に位置し、その前段において、チャフシーブ棒（１２）が振動選別用チャフシーブ枠（５）に固定され、シーブ（１７）が鱗状シーブであり、チャフシーブの網目が半閉であり、その後段が振動選別用チャフシーブ枠（５）の中部まで延伸する可調節角度の篩（６'）であるが、下層は、全体が鱗状シーブの末端から殻排出口（９）まで延伸する可調節角度の篩（６''）であることを特徴とする請求項２に記載のアブラナ・稲麦用コンバイン。
【発明の詳細な説明】
【技術分野】
【０００１】
本発明は、コンバインに関し、特に、アブラナ及び稲麦の収穫、脱穀選別、藁屑粉砕、旋回耕作等の様々な機能を有するエコ型のアブラナ・稲麦用コンバインに関する。
【背景技術】
【０００２】
現在のコンバインでは、一般的に、穀桿を刈り取ってから脱穀を行うように作動するが、力が大きく消耗され、仕事率が低く、穀物の損失率が高い。先に穀桿を刈り取れば、穀桿を田畑に返すことができず、焼却処理をせざるを得ないため、一連の環境汚染問題を引き起こしてしまう。中国特許第２００８２００６５１９２号には、「エコ型収穫机」が開示される。この特許では、動力機構、穗送入機構、穗搬送ロール、軸流型脱穀装置、振動選別装置、穀物タンク及び旋回耕作機構を備える。この特許では、脱穀や藁屑切りを行うと共に穀桿を土に埋める機能が達成されたが、その殻実分離装置が振動選別装置、唐箕、殻排出口からなり、振動選別装置の篩が網状であるので、精選が不十分であり、収穫された作物に不純物が大量に残存し、網状チャフシーブの網目が小さすぎると、精選の効率が低く、収穫の同時に脱穀、選別を完成できない欠点がある。また、この特許の振動選別装置では、稲麦とアブラナとの選別に同時に対応できない。
【発明の概要】
【発明が解決しようとする課題】
【０００３】
本発明の目的は、上記従来技術の不足を解決し、振動による選別中、不純物に対する選別や処理の効果が良く、稲麦とアブラナとの選別に同時に対応可能なアブラナ・稲麦用コンバインを提供することにある。
【課題を解決するための手段】
【０００４】
本発明は、機体フレームと、動力機構と、機体フレームに取り付けられた刈取機構と、刈取機構の後における脱穀機構と、搬送機構と、脱穀機構の穀粒排出口に接続され、振動選別用チャフシーブ、唐箕及び殻排出口を含む殻実分離装置と、を備えるアブラナ・稲麦用コンバインにおいて、振動選別用チャフシーブは、動力機構により連動される振動選別用チャフシーブ枠と、振動選別用チャフシーブ枠に接続された上層のシーブ角度調節可能なチャフシーブ及び下層の網状チャフシーブと、を含むことを特徴とするアブラナ・稲麦用コンバインを提供する。
【０００５】
本発明は、振動選別用チャフシーブ枠にシーブ角度調節可能なチャフシーブを追加することで、シーブ角度の調節によって、異なる作物を更に選別する一方、網目サイズを制御して、稲麦とアブラナ選別との網目サイズに対する異なる要求に同時に対応することができる。
【０００６】
本発明の解決案において、シーブ角度調節可能なチャフシーブは、両端が振動選別用チャフシーブ枠の側端に貫通されるように平行配列されたチャフシーブ棒、チャフシーブ棒に固定されたシーブを含み、チャフシーブ棒と調節シートとの結合部がＵ字状に曲がり、調節シートが調節レバーに接続され、調節レバーが調節ハンドルと繋がる。調節ハンドルを回転させると、調節レバー及び調節シートを水平移動するように連動し、調節シートの移動によりチャフシーブ棒のＵ字部が下端へ運動し、チャフシーブ棒の両端が振動選別用チャフシーブ枠の側端に貫通されるため、調節シートの移動によりチャフシーブ棒が回転し、シーブの角度が調節される。稲麦の脱穀や選別を行う場合、シーブを直立となるように調節し、シーブの間の網目が大きいので、水稲や小麦の穀粒が容易に漏れる。アブラナの脱穀や選別を行う場合、シーブを平らに調節し、シーブの間の網目が小さいので、アブラナ種が容易に漏れると同時にアブラナ籾殻が漏れない。
【０００７】
本発明の解決案において、シーブは「∩」状シーブ又は三角状シーブであり、それぞれチャフシーブ棒に隣り合わせて固定され、後者の前端が前者の後端に近づく。対応する隣り合わせたシーブと前後シーブとの間の隙間が網目である。
【０００８】
本発明の解決案において、シーブ角度調節可能なチャフシーブは２層あり、上層は、脱穀機構の穀粒排出口の接合部にあり、その前段において、チャフシーブ棒が振動選別用チャフシーブ枠に固定され、シーブが鱗状シーブであり、チャフシーブの網目が半閉であり、その後段が振動選別用チャフシーブ枠の中部まで延伸するシーブ角度調節可能なチャフシーブであるが、下層は、全体が鱗状シーブの末端から殻排出口に延伸するシーブ角度調節可能なチャフシーブである。脱穀機構の穀粒排出口の接合部において、前部に、脱穀機構により脱穀された材料を分流させて均一に後のシーブ角度調節可能なチャフシーブに分布させて初回選別を行うための鱗状シーブが固定される。初回選別中、唐箕の作用で、稲麦籾殻又はアブラナ籾殻の大部分が殻排出口から吹き出され、水稲や小麦の穀粒、アブラナ種の一部が上層のシーブ角度調節可能なチャフシーブから下層のシーブ角度調節可能なチャフシーブに漏れて、再度選別される。下層のシーブ角度調節可能なチャフシーブにより再度選別された後、水稲や小麦の穀粒、アブラナ種が網状チャフシーブに漏れて最後に選別され、最後に選別された水稲や小麦の穀粒、アブラナ種は、一般的に、そのまま保存される。
【発明の効果】
【０００９】
本発明において、振動選別用チャフシーブは、動力機構により連動される振動選別用チャフシーブ枠、振動選別用チャフシーブ枠に接続された上層のシーブ角度調節可能なチャフシーブ及び下層の網状チャフシーブを含むため、不純物を選別する流れが一層増える。また、この流れによって不純物を複数回選別することができるため、本発明では、不純物に対する選別や処理の効果が良く、選別された不純物含有率が０．０１％である。それと同時に、シーブ角度の調節によって網目サイズを制御し、稲麦とアブラナとの選別に同時に対応可能なアブラナ・稲麦用コンバインとなる。
【図面の簡単な説明】
【００１０】
【図１】本発明の構造を示す概略図である。
【図２】振動選別用チャフシーブの構造を示す概略図である。
【図３】シーブの角度調節の制御構造を示す概略図である。
【図４】鱗状シーブの形状を示す図である。
【図５】三角状シーブの形状を示す図である。
【発明を実施するための形態】
【００１１】
本発明に係るアブラナ・稲麦用コンバインは、図１に示すように、機体フレームと、動力機構と、機体フレームに取り付けられる刈取機構１と、脱穀機構２と、搬送機構１５と、殻実分離装置３と、グレンタンク８と、旋回耕作機構１０と、を備える。前記殻実分離装置３は、振動選別用チャフシーブ４、唐箕１１及び殻排出口９を含む。前記振動選別用チャフシーブ４は、動力機構により連動される振動選別用チャフシーブ枠５、振動選別用チャフシーブ枠５に接続される上層のシーブ角度調節可能なチャフシーブ６及び下層の網状チャフシーブ７を含む。
【００１２】
収穫の時、動力機構がコンバインを進行するように駆動させ、コンバインの運動につれて、被収穫物が刈取機構１に引き続いて巻き込まれ収穫され、収穫された後で刈取機構１の後ろの脱穀機構２に送られて脱穀を行う。脱穀された藁屑が旋回耕作機構１０により土中に埋められる。脱穀された水稲、小麦又はアブラナ等の穀粒は、穀粒排出口から出されて搬送機構１５により殻実分離装置３に送られて選別され、選別された穀粒がグレンタンク８に貯まれて袋詰めされる。
【００１３】
殻実分離装置３で選別する場合、動力機構が振動選別用チャフシーブ枠５を振動するように連動させて、振動選別用チャフシーブ枠５がその上に取り付けられたシーブ角度調節可能なチャフシーブ６及び網状チャフシーブ７を振動するように連動させる。図１に示すように、シーブ角度調節可能なチャフシーブ６も、網状チャフシーブ７も、同じ方向に傾斜して配置される。穀粒は、搬送機構１５により殻実分離装置３の頂部における入口から殻実分離装置３に送られる。殻実分離装置３の入口は、シーブ角度調節可能なチャフシーブ６の両端の高い方の上方にある。振動の作用で、穀粒は、シーブ角度調節可能なチャフシーブ６の高い端から低い端へ直線運動しながら、引き続いて投げられて篩い分けられる。シーブ角度調節可能なチャフシーブ６により篩い分けられた後で、穀粒は、網状チャフシーブ７に落ちて、振動の作用で、網状チャフシーブ７の高い端から低い端へ直線運動しながら、引き続いて投げられて再度篩い分けられる。それと同時に、唐箕１１によって網状チャフシーブ７の下方における送風口から殻実分離装置３内に送風し、気流の作用でチャフシーブにおける雑草等の不純物を、殻実分離装置３の上部における殻排出口９から排出する。
【００１４】
複数回振動し篩い分けることで、不純物に対する選別や処理の効果が良く、選別された不純物含有率は０．０１％である。それと同時に、上記シーブ角度調節可能なチャフシーブ６とは、一部又は全部のシーブが角度調節可能なチャフシーブである。シーブ角度調節可能なチャフシーブ６のシーブの角度を調節することで、シーブ角度調節可能なチャフシーブ６のシーブ角度の網目サイズを制御することができ、更に、稻や麦、アブラナ等の異なる粒径の穀粒の選別に同時に対応できるようになる。
【００１５】
シーブ角度調節可能なチャフシーブ６は、単層又は多層であってもよい。図１に示す実例において、殻実分離装置３の選別の効果や効率を更に向上させるために、シーブ角度調節可能なチャフシーブ６は、２層ある。図２に示すように、上層のシーブ角度調節可能なチャフシーブ６'は、振動選別用チャフシーブ枠５の前部の側壁から振動選別用チャフシーブ枠５の中部まで延伸し、また前段と後段に分けられる。前段は、上層のシーブ角度調節可能なチャフシーブ６'の高い端に対応し、脱穀機構２の穀粒排出口の接合部、つまり殻実分離装置３の入口の下方に位置し、前段の対応するシーブ１７の角度が一定である。後段は、上層のシーブ角度調節可能なチャフシーブ６'の低い端に対応し、後段の対応するシーブ１７の角度が調節可能である。下層のシーブ角度調節可能なチャフシーブ６"は、シーブ１７の角度が全て調節可能である。下層のシーブ角度調節可能なチャフシーブ６"は、振動選別用チャフシーブ枠５の前部の側壁から後部の側壁まで延伸し、振動選別用チャフシーブ枠５の前部の側壁が傾斜して設けられるので、下層のシーブ角度調節可能なチャフシーブ６"と振動選別用チャフシーブ枠５の前部の側壁の接続部が上層のシーブ角度調節可能なチャフシーブ６'の前段と後段の接続部の下方にある。図に示す実例において、具体的には、上層のシーブ角度調節可能なチャフシーブ６'の前段の対応するシーブ１７は、鱗状シーブであり、チャフシーブの網目が半閉である。下層のシーブ角度調節可能なチャフシーブ６"は、鱗状シーブの末端から殻排出口９まで延伸する。
【００１６】
選別の場合、入口から送られた穀粒は、その一部が上層のシーブ角度調節可能なチャフシーブ６'の前段を介して傾斜した振動選別用チャフシーブ枠５の前部の側壁に落ちて、傾斜した振動選別用チャフシーブ枠５の前部の側壁に沿って下層のシーブ角度調節可能なチャフシーブ６"に滑って篩い分けられる。穀粒のその他の部分は、上層のシーブ角度調節可能なチャフシーブ６'の後段に運動し、その中の一部が後段により篩い分けられた後で下層のシーブ角度調節可能なチャフシーブ６"の前部に落ち、送量が大きい場合、後段により篩い分けられていない残部がそのまま下層のシーブ角度調節可能なチャフシーブ６"の後部に落ちて篩い分けられる。２層構造によって、入口から送られた穀粒を分流させて、穀粒を均一に分布させて選別し、選別の効率を大いに向上させることができる。それと同時に、穀粒の大部分延いてはその全部が網状チャフシーブ７によって最後に選別され、２回篩い分けられ、つまり最終的に３回の選別が達成されるので、選別の効果を大いに向上させることができる。
【００１７】
シーブ角度調節可能なチャフシーブ６は、シーブの角度がどのように調節されてもよい。例えば、複数のシーブの各々が回転軸に固定され、回転軸によってチャフシーブ枠に取り付けられ、回転軸の一端に歯車が取り付けられ、各回転軸に取り付けられた歯車が歯ざおによって対応する回転軸を回転するように駆動させ、また回転軸が対応するシーブを回転するように連動させて、シーブ角度の調節が達成されてもよい。
【００１８】
図１に示す実例では、図３に示すように、シーブ角度調節可能なチャフシーブ６は、角度調節可能なシーブがそれぞれ対応するチャフシーブ棒１２に固定される。各チャフシーブ棒１２の同一端が何れも調節シート１３と結合し、チャフシーブ棒１２と調節シート１３との結合部がＵ字状に曲がる。各チャフシーブ棒１２の両端がそれぞれＵ字状部に固定された回転軸によって、振動選別用チャフシーブ枠５の両側に貫通される。調節レバー１４及び回転可能な調節ハンドル１６が設けられ、調節シート１３が調節レバー１４に接続され、調節レバー１４の他端が調節ハンドル１６に繋がる。調節ハンドル１６、調節レバー１４及び調節シート１３により、チャフシーブ棒１２を軸として周囲を回転するように駆動させるようなリンク機構が構成される。具体的には、調節ハンドル１６を回転させると、調節レバー１４によって調節シート１３を水平移動するように連動し、調節シート１３が移動時にチャフシーブ棒１２のＵ字状部の下端に接触してチャフシーブ棒１２のＵ字状部の下端を運動するように押し、更に、チャフシーブ棒１２を軸として周囲を回転するように押すことで、シーブ１７の角度を調節する目的が達成される。稻、麦の脱穀や選別を行う場合、その粒径が大きいため、水稲や小麦の穀粒が容易に漏れるように、調節シーブ１７が直立となって、シーブ１７の間の網目が大きくなる。アブラナの脱穀や選別を行う場合、その粒径が小さいため、アブラナ種が容易に漏れると同時にアブラナの殻が漏れないように、調節シーブ１７が平らになって、シーブ１７の間の網目が小さくなる。
【００１９】
シーブ１７の形状としては、網目のサイズがシーブの角度によって変化すれば、例えば、線状、鱗状、鋸歯状等の如何なるものであってもよい。線状シーブに形成された網目も線状となる。そのため、選別の効果を確保するために、図に示す実例において、図４に示すように、鱗状シーブを採用する。各シーブ１７は、連続して配置された一連の「∩」状シートからなり、隣接する２つのシーブが互いにずらして、各「∩」状シートと対応する隣接シーブにおける２つの隣接「∩」状シートとの間の隙間が網目となる。鋸歯状シーブは、図５に示すように、連続して配置された一連の三角状シートからなり、鱗状シーブと同じように配置され、網目が鱗状シーブのより大きい。
【符号の説明】
【００２０】
１：刈取機構
２：脱穀機構
３：殻実分離装置
４：振動選別用チャフシーブ
５：振動選別用チャフシーブ枠
６：シーブ角度調節可能なチャフシーブ
７：網状チャフシーブ
８：グレンタンク
９：殻排出口
１０：旋回耕作機構
１１：唐箕
１２：チャフシーブ棒
１３：調節シート
１４：調節レバー
１５：搬送機構
１６：調節ハンドル
１７：シーブ
【図１】
2016508741.tif 000003
【図２】
2016508741.tif 000004
【図３】
2016508741.tif 000005
【図４】
2016508741.tif 000006
【図５】
2016508741.tif 000007
【国際調査報告】
2016508741.tif 000008
2016508741.tif 000009
2016508741.tif 000010
2016508741.tif 000011
2016508741.tif 000012
2016508741.tif 000013